(57)【要約】【課題】木材の下穴に対するネジ込み力が従来よりも軽くて済み、下穴に収容された状態での引き抜き抵抗の向上を図ることのできるラグスクリューを提供することである。【解決手段】  木材６にあけた下穴７にネジ込むラグスクリューＳであって、スクリュー本体１のネジ山５の少なくとも先端部外周に、木材の繊維を切断する切欠部８を有することを特徴とする。切欠部８を有するネジ山５の先端部を、後方に向かって徐々に外径が大きくなるテーパー状に形成してあることを特徴とする。貫通する下穴７の全長にスクリュー本体１の全長を合わせると共に、下穴７に差し込むガイド軸２をスクリュー本体１の軸部の先に着脱可能に取り付け、ガイド軸２の末端には凸部１１を突出し、軸部４先端には凸部が嵌り込む凹部９をあけてあることを特徴とする。【選択図】      図１
2005351342.tif 000002
【特許請求の範囲】
【請求項１】
木材（６）にあけた下穴（７）にネジ込むラグスクリュー（Ｓ）であって、
スクリュー本体（１）のネジ山（５）の少なくとも先端部外周に、木材の繊維を切断する切欠部（８）を有することを特徴とするラグスクリュー。
【請求項２】
切欠部（８）を有するネジ山（５）の先端部を、後方に向かって徐々に外径が大きくなるテーパー状に形成してあることを特徴とする請求項１記載のラグスクリュー。
【請求項３】
貫通する下穴（７）の全長にスクリュー本体（１）の全長を合わせると共に、下穴（７）に差し込むガイド軸（２）をスクリュー本体（１）の軸部（４）の先に着脱可能に取り付け、ガイド軸（２）の末端には凸部（１１）を突出し、軸部（４）先端には凸部が嵌り込む凹部（９）をあけてあることを特徴とする請求項１又は２記載のラグスクリュー。
【発明の詳細な説明】
【技術分野】
【０００１】
本発明は、木材にあけた下穴にネジ込むラグスクリューに関する。
【背景技術】
【０００２】
従来のラグスクリュー９１としては、図４（イ）（ロ）に示すように軸部９２の先部にはネジ山を設けずに、その先部を木材９３の下穴９４に差し込むための円柱状のガイド部９５とし、ガイド部９５の後方からネジ山９６を設け、木材にネジ込み易くするために、ネジ山の先部９７をテーパー状に（ネジ山の外径をその螺旋方向に沿って滑らかに連続しつつ大きくする形態）にしてあるものが知られている。
【０００３】
ところが、上述したラグスクリューは、ネジ山の先部をテーパー状にしてあるので、このようなラグスクリューでネジ込み作業をすると、ネジ山で木材を徐々に深く凹ませながら圧入することになり、木材の繊維が切断されにくく、大変な力を要する作業になる。また、木材の繊維が切断されにくいことから、ラグスクリューが木材にネジ込まれた状態では、図４（ニ）の拡大断面図に示すように、木材とラグスクリューとの間には恰も三角形状の隙間９８がネジ山の両側に出来ることになり、木材に対するラグスクリューの引き抜き抵抗が小さくなる。ネジ込む箇所に木材の節がある場合は、節を割ってネジ山が進入することになり、ネジ込み力がさらに大きくなると共に隙間も大きくなる。なお、ラグスクリューは通常、鉄で作られており、隙間ができると、錆びが発生しやすくなる。
【０００４】
さらに、上述したラグスクリューはネジ山の先部をテーパー状にしてあるが、ネジ込み易いという効果を得るには、テーパー状の部分には、ある程度の長さを必要とする。言い換えれば、軸部に対してネジ山が何回転か回り込んでから所定（最大）の外径に達するようにせねばならず、１回転程度で急激に所定の外径に達するようにしたのでは、十分なネジ込み易さは得られない。従って、木材にラグスクリューが十分に噛み合っている長さ（ネジ山が最大の外径に達している全長）は、テーパー部が長い分だけ短くなり、引き抜き抵抗が小さくなる。
【０００５】
また、上述したラグスクリューは、全長に対してガイド部が短いため、ネジ山を木材の下穴にネジ込む直前の段階では図４（ロ）に示すように、下穴の入口側にしかガイド部が入っておらず、直進を助けるガイドとしての役割が不十分であった。従って、この状態でラグスクリューをネジ込んでネジ山を木材に圧入すると、下穴に対して傾くように入り込むこともあった。それゆえ、下穴に対して真っ直ぐにラグスクリューをネジ込むには、相応の熟練度を要することになった。かといって、ガイド部を長くとったラグスクリューを用いた場合には、その分だけ、全長に対するネジ山の長さが短くなるので、木材にラグスクリューが十分に噛み合っている長さが短くなり、引き抜き抵抗が小さくなる。
【発明の開示】
【発明が解決しようとする課題】
【０００６】
本発明は上記実情を考慮して開発されたもので、その目的とするところは、木材の下穴に対するネジ込み力が従来よりも軽くて済み、下穴に収容された状態での引き抜き抵抗の向上を図ることのできるラグスクリューを提供することである。
【課題を解決するための手段】
【０００７】
請求項１の発明は、木材にあけた下穴にネジ込むラグスクリューであって、スクリュー本体のネジ山の少なくとも先端部外周に、木材の繊維を切断する切欠部を有することを特徴とする。
【０００８】
また、ネジ山は先端から末端まで一定の外径に形成したものであっても良いが、ラグスクリューを木材にさらにネジ込みやすくするには、請求項２の発明のように、切欠部を有するネジ山の先端部を、後方に向かって徐々に外径が大きくなるテーパー状に形成することが望ましい。
【０００９】
また、ラグスクリューをネジ込む木材の下穴は、貫通していないものであっても良いが、貫通しているものの場合に、ネジ込みの際の直進性の向上と引き抜き抵抗の向上を図るには、請求項３の発明のように、貫通する下穴の全長にスクリュー本体の全長を合わせると共に、下穴に差し込むガイド軸をスクリュー本体の軸部の先に着脱可能に取り付け、ガイド軸の末端には凸部を突出し、軸部先端には凸部が嵌り込む凹部をあけてあることが望ましい。なお、凹部と凸部の関係は、ラグスクリューを木材にネジ込む際に、ガイド軸がスクリュー本体に取り付けられた状態を維持しガイドとしての役割を果たすことができれば十分であり、雌ネジと雄ネジのように凹部と凸部がネジで連結しているものであっても良いが、丸穴と丸棒のように単に嵌り込むものであっても良い。なお、凹部が雌ネジであれば、その雌ネジを利用して連結金物を固定し、その連結金物に対して梁等を止めても良い。
【発明の効果】
【００１０】
請求項１の発明は、ネジ込む際に最も力のかかるネジ山の先端部に、木材の繊維を切断する切欠部を有するので、ネジ込み易くなり、しかも、木材の繊維を切断することにより、木材とスクリュー本体の表面とが隙間なく密着することになり、引き抜き抵抗が向上する。そして、木材の節がある箇所にネジ込む場合には、ネジ込み易さ及び密着効果が従来に比べて、特に効果的に発揮される。また、錆びる性質を有する金属（鉄等）でスクリュー本体を製作した場合には、隙間なく木材に密着することによって、錆びも殆ど発生しなくなる。
【００１１】
請求項２の発明は、ネジ山のテーパー状の先端部に切欠部を設けることによって、テーパー形状と切欠部から得られる相乗作用によって、一段とネジ込みやすくなる。また、ネジ込み力が軽くなるので、従来の切欠部のない構造（ネジ山の先端部が単なるテーパー状の構造）に比べて、テーパー状の先端部の全長を短くでき、その分だけネジ山が一定（最大）の外径となる全長を長くとることができるので、引き抜き抵抗を向上できる。
【００１２】
請求項３の発明は、下穴にラグスクリューをネジ込む際には、ガイド軸を下穴に差し込んだ状態でラグスクリューをねじ込めるので、ガイド軸を長くするほどネジ込みの際の直進性が高まる。また、下穴の全長にスクリュー本体の全長を合わせてあるので、下穴にスクリュー本体をネジ込んだ状態では、ガイド軸が木材から突出することになり、そのガイド軸をスクリュー本体から外すことができるので、スクリュー本体のみが下穴の全長に亘ってネジ込まれていることになり、引き抜き抵抗が向上する。また、ガイド軸の末端には凸部を突出し、軸部先端には凹部をあけてあるので、ガイド軸を外した場合には木材内にスクリュー本体がはみ出すことなく収容されることになり、体裁も良い。
【発明を実施するための最良の形態】
【００１３】
本発明のラグスクリューＳは図１から図３に示すように、スクリュー本体１の先端にガイド軸２を着脱可能にネジ込んだものである。
【００１４】
スクリュー本体１は、工具に取り付ける頭部３と、頭部３から延長する円柱状の軸部４と、軸部４の外側に螺旋状に突出するネジ山５とからなる。
【００１５】
頭部３は例えば六角頭に形成してあり、図２（ニ）に示すように、頭部３には雌ネジ１３をあけてある。また、図３（ロ）に示すように軸部４に比べて外径を小さく形成することによって、スクリュー本体１を木材６の下穴７にネジ込んだ際に、下穴７に頭部３が収容されるようにしてある。なお、頭部の雌ネジに連結金物を固定し、その連結金物に対して梁等を止めることも可能である。
【００１６】
ネジ山５は、その先端部Ｔを徐々に外径が大きくなるテーパー状に形成してあり、テーパー状の先端部Ｔを軸部４に対して図２（ハ）に示すように一回り（３６０度）以下に形成してある。そして、このテーパー状の先端部Ｔの外周に複数のＶ字状の切欠部８を螺旋方向に間隔をあけて設け、木材にネジ込むときに切欠部８が鋸刃の役割を果たして、木材の繊維を切断しながらネジ山５がネジ込まれる。なお、テーパー状の先端部Ｔを一回り以下に形成しても、この先端部に切欠部８を設けることによって、引き抜き抵抗を向上しながらも十分なネジ込み易さを得られる。また、軸部４の先端には、ガイド軸２に着脱するための凹部（雌ネジ）９を軸線方向に沿ってあけてある。なお、軸部４の直径が小さくても切欠部８を設けることによって、ネジ込みやすくなるが、切欠部８を設けた効果を十分に得るには、軸部４の直径を１９ｍｍ以上にしたものに適用することが望ましい。
【００１７】
ガイド軸２は軸部４と同径の棒体であって、木材６の下穴７への差込み易さを考慮して先部を末端側に向かって径が大きくなるテーパー状に形成すると共に、先端には工具取付部１０（図１では六角穴）を有し、ガイド軸２の末端に凸部（雄ネジ）１１を軸線方向に沿って突出してある。また、ガイド軸２は、テーパー状の先端部Ｔと凸部１１を除いた分の全長を、貫通する下穴７の全長以上に長く形成することによって、下穴７に差し込んだガイド軸２を全長に亘って安定させ、その安定した状態でスクリュー本体１をネジ込めるようにしてある。
【００１８】
上述した本発明のラグスクリューＳは以下の要領で使用する。まず、図３（イ）に示すように、スクリュー本体１にガイド軸２をネジ込んで１本とした状態で、木材６の貫通する下穴７に対してガイド軸２を差し込み、そのまま頭部３に工具を取り付けて、ラグスクリューＳをネジ込む。そうすると、ガイド軸２が木材６から突出して、スクリュー本体１が下穴７内に収容される。続いて、ガイド軸２の工具取付部１０に工具を取り付けてガイド軸２を回すことにより、ガイド軸２が外れて、スクリュー本体１のみが下穴７内に取り残される。下穴７に取り残されたスクリュー本体１は図３（ハ）に示すように、切欠部８で木材６の繊維が切断されることから、ネジ山５と軸部４とで形成される窪み部１２に木材６が隙間なく密着し、引き抜き抵抗が大きくなる。
【図面の簡単な説明】
【００１９】
【図１】本発明のラグスクリューを示す要部斜視図である。
【図２】（イ）（ロ）（ハ）（ニ）図は、本発明のラグスクリューの正面図、分解図、左側面拡大図、右側面拡大図である。
【図３】（イ）（ロ）（ハ）図は、本発明のラグスクリューの使用手順を段階を追って示す説明図、木材に対するスクリュー本体のネジ込み状態を示す要部断面図である。
【図４】（イ）（ロ）（ハ）（ニ）図は、従来のラグスクリューを示す正面図、使用手順を段階を追って示す説明図、木材に対するスクリュー本体のネジ込み状態を示す要部断面図である。
【符号の説明】
【００２０】
Ｓ  ラグスクリュー
１  スクリュー本体
２  ガイド軸
３  頭部
４  軸部
５  ネジ山
６  木材
７  下穴
８  切欠部
９  凹部（雌ネジ）
１０  工具取付部
１１  凸部（雄ネジ）
１２  窪み部
【図１】
2005351342.tif 000003
【図２】
2005351342.tif 000004
【図３】
2005351342.tif 000005
【図４】
2005351342.tif 000006